(57)【要約】【課題】主に各種電子機器の操作に用いられるリモコン送信機に関し、簡易な構成で、安価なものを提供することを目的とする。【解決手段】上ケース１に開閉可能に装着された扉体１５内に、押釦部１６Ｂが基材１６Ａにアーム部１６Ｄによって連結され、押釦部１６Ｂ下面が操作体２上面の操作部２Ａに当接する押圧体１６を設けることによって、アーム部１６Ｄが弾性変形して押釦部１６Ｂの押圧操作が行われ、カバー等の押圧体１６を保持する部品が不要となるため、押圧体１６を直接扉体１５に固着でき、構成部品数が少なく、組み立て作業も容易で、安価なリモコン送信機を得ることができる。【選択図】図１
2009170329.tif 000002
【特許請求の範囲】
【請求項１】
略箱型のケースと、このケース上面に突出した操作体の操作によって電気的接離を行うスイッチ接点と、上記ケースに開閉可能に装着され上記操作体を覆う扉体と、上記スイッチ接点の電気的接離に応じて、送信手段からリモコン信号を送信する制御手段からなり、上記扉体内に押釦部が基材にアーム部によって連結され、上記押釦部下面が上記操作体上面に当接する押圧体を設けたリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調等の各種電子機器の高機能化が進むなか、これらを遠隔操作するリモコン送信機においても、扉体等の開閉や移動によって操作機能を増やし、多様な操作を行えるものが増えている。
【０００３】
このような従来のリモコン送信機について、図４〜図６を用いて説明する。
【０００４】
図４は従来のリモコン送信機の断面図、図５は同分解斜視図であり、同図において、１は略箱型で絶縁樹脂製の上ケース、２はゴム等の操作体で、操作体２には下方の略ドーム状の薄肉部によって、連結形成された複数の操作部２Ａが設けられると共に、この複数の操作部２Ａ上面が、上ケース１上面の複数の開口孔から上下動可能に突出している。
【０００５】
そして、３は上下面に複数の配線パターン（図示せず）が形成された配線基板で、この上面に操作体２が載置されると共に、配線基板３上面にはカーボン等の複数の固定接点４Ａが設けられ、この固定接点４Ａが各操作部２Ａ下面に形成されたカーボン等の可動接点４Ｂと、所定の間隙を空けて対向して複数のスイッチ接点４が形成されている。
【０００６】
また、５は絶縁樹脂製の扉体、６はゴム等の押圧体で、押圧体６には下方の略ドーム状の薄肉部によって、連結形成された複数の押釦部６Ａが設けられると共に、この複数の押釦部６Ａ上面が、扉体５上面の複数の開口孔から上下動可能に突出している。
【０００７】
さらに、７は板状で絶縁樹脂製のカバーで、このカバー７が扉体５下面を覆い固着されて、押圧体６が下面をカバー７上面に当接させて扉体５内に収納されると共に、カバー７下面の複数の開口孔からは、複数の押釦部６Ａの下面が突出している。
【０００８】
そして、扉体５が左端部に形成された軸孔部５Ａを支点として、上ケース１に対して開閉可能に装着されると共に、この扉体５が閉じて、操作体２の操作部２Ａ上面を覆った状態では、複数の押釦部６Ａ下面が複数の操作部２Ａ上面に当接している。
【０００９】
また、配線基板３上下面には、発光ダイオード等のリモコン信号を送信する送信手段８や、液晶表示素子等の表示手段９、配線パターンを介して送信手段８や表示手段９、複数のスイッチ接点４等に接続されたマイコン等の制御手段１０が形成されると共に、上ケース１下面を絶縁樹脂製の下ケース１１が覆って、リモコン送信機が構成されている。
【００１０】
なお、扉体５上面から突出した複数の押釦部６Ａは電子機器の、例えば機器がエアコンであった場合、電源の入／切、或いは温度の増減等の、通常頻繁に使用されるものに用いられ、この下方の上ケース１上面から突出した複数の操作部２Ａは、風量や風向の切換えや、タイマーの時刻設定等の、比較的使用頻度の少ないものに用いられる。
【００１１】
以上の構成において、図４や図６（ａ）の斜視図に示すように、扉体５が閉じた状態で、扉体５上面から突出した所定の押釦部６Ａを押圧操作すると、略ドーム状の薄肉部が弾性変形して押釦部６Ａが下方へ移動し、押釦部６Ａ下面がこの下方の操作部２Ａを押圧する。
【００１２】
そして、この操作部２Ａが略ドーム状の薄肉部を弾性変形させて下方へ移動し、この下面の可動接点４Ｂが複数の固定接点４Ａと接触して、スイッチ接点４の電気的接離が行われ、この電気的接離に応じて制御手段１０が、送信手段８から赤外線のリモコン信号を電子機器へ送信し、例えば、エアコンの電源の入／切が遠隔操作によって行われる。
【００１３】
また、軸孔部５Ａを支点として扉体５を回転し、図６（ｂ）に示すように、扉体５が開いた状態で、上ケース１上面から突出した所定の操作部２Ａを押圧操作すると、略ドーム状の薄肉部が弾性変形して操作部２Ａが下方へ移動し、この下面の可動接点４Ｂが複数の固定接点４Ａと接触して、スイッチ接点４の電気的接離が行われる。
【００１４】
そして、この電気的接離に応じて制御手段１０が送信手段８からリモコン信号を送信するが、この時、扉体５と配線基板３の間に別途設けられた検知スイッチ（図示せず）等によって、扉体５が開いた状態であることを制御手段１０が検出し、上記の押釦部６Ａを介して押圧操作した場合とは異なるリモコン信号を電子機器へ送信して、例えば、風量や風向の切換えやタイマーの時刻設定等が遠隔操作によって行われる。
【００１５】
つまり、制御手段１０が検知スイッチ等によって扉体５の開閉状態を検出し、押釦部６Ａと操作部２Ａのどちらが操作されたかを判別して、扉体５が開いて操作部２Ａを直接押圧操作した場合と、扉体５が閉じて押釦部６Ａを介して押圧操作した場合とでは、異なるリモコン信号を送信することによって、遠隔操作する機能を増やし、機器のより多様な操作が可能なように構成されているものであった。
【００１６】
なお、この出願の発明に関連する先行技術文献情報としては、例えば、特許文献１が知られている。
【特許文献１】特開２００７−５３５１７号公報
【発明の開示】
【発明が解決しようとする課題】
【００１７】
しかしながら、上記従来のリモコン送信機においては、略ドーム状の薄肉部を弾性変形させて複数の押釦部６Ａの押圧操作を行うには、押圧体６下面に当接しこれを保持するカバー７が必要となるため、押圧体６を扉体５内に収納すると共に、この下面をカバー７で覆い固着しており、構成部品数が多く、組み立て作業にも時間を要し、高価なものになってしまうという課題があった。
【００１８】
本発明は、このような従来の課題を解決するものであり、簡易な構成で、安価なリモコン送信機を提供することを目的とする。
【課題を解決するための手段】
【００１９】
上記目的を達成するために本発明は、ケースに開閉可能に装着された扉体内に、押釦部が基材にアーム部によって連結され、押釦部下面が操作体上面に当接する押圧体を設けてリモコン送信機を構成したものであり、アーム部が弾性変形して押釦部の押圧操作が行われ、カバー等の押圧体を保持する部品が不要となるため、押圧体を直接扉体に固着でき、構成部品数が少なく、組み立て作業も容易で、安価なリモコン送信機を得ることができるという作用を有するものである。
【発明の効果】
【００２０】
以上のように本発明によれば、簡易な構成で、安価なリモコン送信機を実現できるという有利な効果が得られる。
【発明を実施するための最良の形態】
【００２１】
以下、本発明の実施の形態について、図１〜図３を用いて説明する。
【００２２】
なお、背景技術の項で説明した構成と同一構成の部分には同一符号を付して、詳細な説明を簡略化する。
【００２３】
（実施の形態）
図１は本発明の一実施の形態によるリモコン送信機の断面図、図２は同分解斜視図であり、同図において、１は略箱型でポリスチレンやＡＢＳ等の絶縁樹脂製の上ケース、２はゴムやエラストマー等の操作体で、操作体２には下方の略ドーム状の薄肉部によって、連結形成された複数の操作部２Ａが設けられると共に、この複数の操作部２Ａ上面が、上ケース１上面の複数の開口孔から上下動可能に突出している。
【００２４】
そして、３は紙フェノールやガラス入りエポキシ等の配線基板で、上下面に銅箔等によって複数の配線パターン（図示せず）が形成され、この上面に操作体２が載置されると共に、配線基板３上面にはカーボン等の複数の固定接点４Ａが設けられ、この固定接点４Ａが各操作部２Ａ下面に形成されたカーボン等の可動接点４Ｂと、所定の間隙を空けて対向して複数のスイッチ接点４が形成されている。
【００２５】
また、１５は絶縁樹脂製の扉体、１６は同じく絶縁樹脂製の押圧体で、押圧体１６には板状の基材１６Ａから上方へ突出した複数の押釦部１６Ｂが設けられると共に、これらの押釦部１６Ｂの根元外周と側方には切欠部１６Ｃが形成され、この切欠部１６Ｃ内を挿通した一対の略Ｌ字状のアーム部１６Ｄによって、複数の押釦部１６Ｂが基材１６Ａに連結されている。
【００２６】
さらに、この押圧体１６が扉体１５下面に熱圧着等によって固着されると共に、複数の押釦部１６Ｂが扉体１５上面の複数の開口孔から上下動可能に突出している。
【００２７】
そして、扉体１５が左端部に形成された軸孔部１５Ａを支点として、上ケース１に対して開閉可能に装着されると共に、この扉体１５が閉じて、操作体２の操作部２Ａ上面を覆った状態では、複数の押釦部１６Ｂ下面が複数の操作部２Ａ上面に当接している。
【００２８】
また、配線基板３上下面には、発光ダイオード等のリモコン信号を送信する送信手段８や、液晶表示素子等の表示手段９、配線パターンを介して送信手段８や表示手段９、複数のスイッチ接点４等に接続されたマイコン等の制御手段１０が形成されると共に、上ケース１下面を絶縁樹脂製の下ケース１１が覆って、リモコン送信機が構成されている。
【００２９】
なお、扉体１５上面から突出した複数の押釦部１６Ｂは電子機器の、例えば機器がエアコンであった場合、電源の入／切、或いは温度の増減等の、通常頻繁に使用されるものに用いられ、この下方の上ケース１上面から突出した複数の操作部２Ａは、風量や風向の切換えやタイマーの時刻設定等の、比較的使用頻度の少ないものに用いられる。
【００３０】
以上の構成において、図１や図３（ａ）の斜視図に示すように、扉体１５が閉じた状態で、扉体１５上面から突出した所定の押釦部１６Ｂを押圧操作すると、切欠部１６Ｃ内を挿通すると共に、この押釦部１６Ｂ両側面に一端が連結され、他端が基材１６Ａに連結された、略Ｌ字状の一対のアーム部１６Ｄが撓み、弾性変形して押釦部１６Ｂが下方へ移動し、押釦部１６Ｂ下面がこの下方の操作部２Ａを押圧する。
【００３１】
そして、この操作部２Ａが略ドーム状の薄肉部を弾性変形させて下方へ移動し、この下面の可動接点４Ｂが複数の固定接点４Ａと接触して、スイッチ接点４の電気的接離が行われ、この電気的接離に応じて制御手段１０が、送信手段８から赤外線のリモコン信号を電子機器へ送信し、例えば、エアコンの電源の入／切が遠隔操作によって行われる。
【００３２】
また、軸孔部１５Ａを支点として扉体１５を回転し、図３（ｂ）に示すように、扉体１５が開いた状態で、上ケース１上面から突出した所定の操作部２Ａを押圧操作すると、略ドーム状の薄肉部が弾性変形して操作部２Ａが下方へ移動し、この下面の可動接点４Ｂが複数の固定接点４Ａと接触して、スイッチ接点４の電気的接離が行われる。
【００３３】
そして、この電気的接離に応じて制御手段１０が送信手段８からリモコン信号を送信するが、この時、扉体１５と配線基板３の間に別途設けられた検知スイッチ（図示せず）等によって、扉体１５が開いた状態であることを制御手段１０が検出し、上記の押釦部１６Ｂを介して押圧操作した場合とは異なるリモコン信号を電子機器へ送信して、例えば、風量や風向の切換えやタイマーの時刻設定等が遠隔操作によって行われる。
【００３４】
つまり、制御手段１０が検知スイッチ等によって扉体１５の開閉状態を検出し、押釦部１６Ｂと操作部２Ａのどちらが操作されたかを判別して、扉体１５が開いて操作部２Ａを直接押圧操作した場合と、扉体１５が閉じて押釦部１６Ｂを介して押圧操作した場合とでは、異なるリモコン信号を送信することによって、遠隔操作する機能を増やし、より多様な操作が可能なように構成されている。
【００３５】
そして、扉体１５が閉じた状態で押圧操作される押圧体１６が、上述したように、複数の押釦部１６Ｂが略Ｌ字状のアーム部１６Ｄによって基材１６Ａに連結されて形成され、これが扉体１５内に固着された構成となっているため、カバー等の押圧体１６を保持する部品が不要となり、構成部品数が少なく、組み立て作業も容易で、安価にリモコン送信機を構成できるようになっている。
【００３６】
また、押圧操作時には、押釦部１６Ｂ両側面に連結された一対のアーム部１６Ｄが弾性変形して、複数の押釦部１６Ｂの上下動が行われるため、この下面が当接した操作体２の操作部２Ａを、がたつきや傾きの少ない状態で確実に押圧操作させることが可能な構成となっている。
【００３７】
このように本実施の形態によれば、上ケース１に開閉可能に装着された扉体１５内に、押釦部１６Ｂが基材１６Ａにアーム部１６Ｄによって連結され、押釦部１６Ｂ下面が操作体２上面の操作部２Ａに当接する押圧体１６を設けることによって、アーム部１６Ｄが弾性変形して押釦部１６Ｂの押圧操作が行われ、カバー等の押圧体１６を保持する部品が不要となるため、押圧体１６を直接扉体１５に固着でき、構成部品数が少なく、組み立て作業も容易で、安価なリモコン送信機を得ることができるものである。
【００３８】
なお、以上の説明では、配線基板３上面の複数の固定接点４Ａと、この上面に載置された操作体２の操作部２Ａ下面の可動接点４Ｂによって、複数のスイッチ接点４を形成した構成について説明したが、配線基板３上面の固定接点上に、略ドーム状で導電金属薄板製の可動接点を載置したものや、或いは配線基板３上に、複数の個別のプッシュスイッチを実装したもの等、様々なスイッチ接点を用いた構成においても、本発明の実施は可能である。
【産業上の利用可能性】
【００３９】
本発明によるリモコン送信機は、簡易な構成で、安価なものが得られ、主に各種電子機器の操作用として有用である。
【図面の簡単な説明】
【００４０】
【図１】本発明の一実施の形態によるリモコン送信機の断面図
【図２】同分解斜視図
【図３】同斜視図
【図４】従来のリモコン送信機の断面図
【図５】同分解斜視図
【図６】同斜視図
【符号の説明】
【００４１】
１  上ケース
２  操作体
２Ａ  操作部
３  配線基板
４  スイッチ接点
４Ａ  固定接点
４Ｂ  可動接点
８  送信手段
９  表示手段
１０  制御手段
１１  下ケース
１５  扉体
１５Ａ  軸孔部
１６  押圧体
１６Ａ  基材
１６Ｂ  押釦部
１６Ｃ  切欠部
１６Ｄ  アーム部
【図１】
2009170329.tif 000003
【図２】
2009170329.tif 000004
【図３】
2009170329.tif 000005
【図４】
2009170329.tif 000006
【図５】
2009170329.tif 000007
【図６】
2009170329.tif 000008